(57)【特許請求の範囲】
【請求項１】
一端を入口、他端を出口とし内面の少なくとも下半部を耐摩耗性の金属材で成形した中空搬送路を急傾斜をもって斜設し、その中空搬送路の入口から採掘された岩石、鉱石等の搬送対象物を投入して出口に臨んで確保した石溜り室の石溜りに加速度を付けてぶつけて、その岩石、鉱石等を粉砕し且つその落下衝撃力を緩和し、さらに、前記石溜り室に、同石溜り室で発生する高圧な空気を自然排気するエアー抜き管を連絡し、そのエアー抜き管を大容量の確保空間で開放することを特徴とする岩石、鉱石等の搬送方法。
【請求項２】
前記請求項１に記載の搬送方法を実施する搬送装置であって、一端を搬送対象物の入口、他端を搬送対象物の出口とし、内面の少なくとも下半部を耐摩耗性の金属材で成形した中空搬送路が急傾斜をもって斜設され、
前記出口側には、当該出口から出る搬送対象物を溜めるための石溜り室が設けられ、
前記石溜り室には、当該溜り室で発生する高圧な空気を自然排気するエアー抜き管の一端が連絡され、前記エアー抜き管の他端が、大容量の確保空間で開放されていることを特徴とする搬送装置。
【請求項３】
前記中空搬送路が、両端と共に上部を開放すると共にその上部両側に外向フランジを折曲形成し急傾斜をもって斜設される長尺なケーシングと、そのケーシング内に上方から出入可能に縦一列に添接状に収容されて岩石、鉱石等の搬送路面を構成する金属材料で成形された適宜数の搬送路構成体と、該搬送路構成体の長手両縁面に当接する当接部を下側に備え縦一列に載置される適宜数の蓋兼用押圧部材と、その蓋兼用押圧部材と一体的もしくは別体とされ同蓋兼用押圧部材上に縦一列に配設されて前記外向フランジとの間に挟持用空間を確保する適宜数の固定用プレート部材と、前記外向フランジとその固定用プレート部材とを解除可能に連結する締付手段とで構成され、当該中空搬送路に沿って階段を付設し、且つ前記ケーシングには搬送路構成体相互間に位置する支持突起を突設形成していることを特徴とする請求項２記載の搬送装置。
【請求項４】
前記搬送路構成体が耐摩耗性の金属材で成形されていることを特徴とする請求項３に記載の搬送装置。
【請求項５】
前記急傾斜が仰角を４２．５度〜４７．５度とするものであることを特徴とする請求項３または請求項４記載の搬送装置。
【請求項６】
前記固定用プレート部材個々の上面に、昇降用台車のガイドレールを分割して設けていることを特徴とする請求項３ないし請求項５いずれか１項記載の搬送装置。
【発明の詳細な説明】
【０００１】
【発明の属する技術分野】
本発明は、岩石、鉱石等の搬送方法及びその搬送装置、更に詳しくは採掘現場である鉱山傾斜に沿っていっきに採掘された岩石、鉱石等を裾野等に搬送するその方法及びその方法に使用される搬送装置に関するものである。
【０００２】
【従来の技術】
従来、鉱山で採掘された岩石、鉱石等は、山の傾斜面に蛇行状をもって搬送コンベアを配設し、上位の搬送コンベアから順に下位の搬送コンベアに受け渡しながら、裾野等の目的地まで搬送される。
【０００３】
このような搬送方法では、多数の搬送コンベアが必須であるため、設備コストと共にランニングコストが高騰する。搬送効率も非効率。メンテナンスが煩雑。高所であることが関連してメンテナンス作業も非常に危険である。等様々な問題を惹起している。
【０００４】
【発明が解決しようとする課題】
本発明は上記従来事情に鑑みてなされたもので、その目的とする処は、急傾斜な中空搬送路を加速度を付けて滑落する採掘された岩石、鉱石等を出口に臨んで確保した石溜りにぶつける方法を採用することによって、従来技術の問題点を一掃し、併せてその石溜りとの衝突力を製品への粉砕工程の一助として有効利用すると共に、石溜り室への衝撃を緩和することにある。
更に他の目的とする処は、優れた粉塵発生防止機能を具備させることにある。
更に別の目的とする処は、加速度を付けて滑落させる岩石、鉱石等をガイドする搬送路の取付がローコストで、長寿命化にも寄与し、その上、搬送路交換に際しても危険性が無く、それを簡単にすることにある。
【０００５】
【課題を解決するための手段】
上記目的を解決するために講じた技術的手段は、搬送方法においては、一端を入口、他端を出口とし内面の少なくとも下半部を耐摩耗性の金属材で成形した中空搬送路を急傾斜をもって斜設し、その中空搬送路の入口から採掘された岩石、鉱石等の搬送対象物を投入して出口に臨んで確保した石溜り室の石溜りに加速度を付けてぶつけて、その岩石、鉱石等を粉砕し且つその落下衝撃力を緩和し、さらに、前記石溜り室に、同石溜り室で発生する高圧な空気を自然排気するエアー抜き管を連絡し、そのエアー抜き管を大容量の確保空間で開放することを要旨とする(請求項１)。
また、搬送装置においては、一端を搬送対象物の入口、他端を搬送対象物の出口とし、内面の少なくとも下半部を耐摩耗性の金属材で成形した中空搬送路が急傾斜をもって斜設され、前記出口側には、当該出口から出る搬送対象物を溜めるための石溜り室が設けられ、前記石溜り室には、当該溜り室で発生する高圧な空気を自然排気するエアー抜き管の一端が連絡され、前記エアー抜き管の他端が、大容量の確保空間で開放されていることを要旨とする。(請求項２)
【０００６】
また、中空搬送路を、両端と共に上部を開放すると共にその上部両側に外向フランジを折曲形成し急傾斜をもって斜設される長尺なケーシングと、そのケーシング内に上方から出入可能に縦一列に添接状に収容されて岩石、鉱石等の搬送路面を構成する金属材料で成形された適宜数の搬送路構成体と、該搬送路構成体の長手両縁面に当接する当接部を下側に備え縦一列に載置される適宜数の蓋兼用押圧部材と、その蓋兼用押圧部材と一体的もしくは別体とされ同蓋兼用押圧部材上に縦一列に配設されて前記外向フランジとの間に挟持用空間を確保する適宜数の固定用プレート部材と、前記外向フランジとその固定用プレート部材とを解除可能に連結する締付手段とで構成し、当該中空搬送路に沿って階段を付設し、且つ前記ケーシングには搬送路構成体相互間に位置する支持突起を突設形成していることを要旨とする（請求項３）。
【０００７】
そして、搬送路構成体が耐摩耗性の金属材で成形されていると有効なものである（請求項４）。
また、前記急傾斜とは仰角を４０度〜５５度程度とするものであるが、特に４２．５度〜４７．５度が好適なものである（請求項５）。
更に、固定用プレート部材個々の上面に、昇降用台車のガイドレールを分割して設けている場合も有効である（請求項６）。
【０００８】
前記技術的手段によれば下記の作用を奏する。
（請求項１）本岩石、鉱石等の搬送方法は、急傾斜な中空搬送路内を高速で加速度を付けて滑落する岩石、鉱石等を、石溜り室内の石溜りにぶつけて、その石溜りで、製品化への一助となる粉砕機能と石溜り室への影響を小さく抑制する緩衝機能とを兼務させる。
そして、本岩石、鉱石等の搬送方法は、岩石、鉱石等の滑落に伴って高圧になる石溜り室内の空気を大容量の確保空間にエアー抜き管から排気して、粉塵の放散を防止する。
【０００９】
（請求項２）本搬送装置は、前記請求項１の搬送方法を具体的に実施することができる。
【００１０】
(請求項３)本搬送装置は、ケーシングに形成された外向フランジと、上方の固定用プレート部材とを連結することによって発生する蓋兼用押圧部材とケーシングとによる挟持力と、ケーシングから突設する支持突起によるストップ力との相乗作用とでケーシング内の搬送路構成体を、安定的に支持する。
それ故、搬送路構成体をネジでケーシングに固着した場合のようにネジ頭部が摩滅するまでの使用に搬送路構成体の耐用期が縮減される問題点を解消する。
そして、階段を使用して交換対象になっている搬送路構成体まで昇り、そこで締付手段の連結を解いて挟持力を解除し、摩滅した搬送路構成体を交換する。
【００１１】
（請求項４）本搬送装置は、搬送路構成体の交換頻度を少なく止める。
【００１２】
（請求項５）本搬送装置は、実験によると搬送路面上に堆積する小さな岩石粒がベアリングのころの役目を効果的に果たして、投入される岩石、鉱石等の搬送対象物を搬送路面に接触させることなく石溜りにぶつけて粉砕させることができるものであった。
尚、搬送路面の仰角が４２．５度未満の場合には、前記搬送対象物の落下速度が低速化して自らの重量によって搬送対象物が前記岩石粒層を貫いて搬送路面に接触して搬送路面の摩滅を促進させ、逆に仰角が４７．５度を超える場合には、同搬送対象物の落下速度が高速化し、石溜りとの衝突力が大きくなりすぎて粉々に粉砕し商品としての歩留まりを悪くすることから、共に最適なものとは言い難いものであった。
【００１３】
（請求項６）本搬送装置は、中空搬送路の入口から出口まで直線状に連続するガイドレールで交換用の搬送路構成体を搭載する昇降用台車を交換対象位置まで到達させ、そこで請求項２と同様に摩滅した搬送路構成体と交換し、更に回収する。
そして、そのガイドレールが固定用プレート部材と共に中空搬送路を補強する。
【００１４】
【発明の実施の形態】
次に、本発明の実施の形態を説明する。
図１乃至図３は本発明岩石、鉱石等の搬送方法及びその搬送装置の実施の形態を示している。本実施の形態では搬送装置を基に説明する。
【００１５】
搬送装置Ａは、図１に示すように採掘現場である鉱山の斜面に沿って急傾斜をもって麓まで斜設した状態を示しており、中空搬送路１、中空搬送路１の入口（投入口）１’に連絡する投入部２、中空搬送路１の出口（排出口）１”に連絡する石溜り部３を備えている。
【００１６】
この中空搬送路１は、図１、図２に示すように所望する断面形状の金属型材１０１…を溶接や機械的な連結固定手段で組み付けて斜面に沿って構築された支持脚構造１００で堅固に支持されている。
【００１７】
この中空搬送路１は、その搬送路の外殻となるケーシング１１、そのケーシング１１内に設けられる搬送路構成体２１…、その搬送路構成体２１…の蓋兼用押圧部材３１…、固定用プレート部材４１…、昇降用台車Ｃのガイドレール５１…、階段６１等から構成されている（特に図３参照）。
【００１８】
ケーシング１１は、縦断面略Ｕの字状を呈する鋼板製等の金属製分割体１１１…の長手側の端部同士を互いに連結して前記する採掘現場である鉱山の斜面Ｘに適合する長尺状に形成され、金属製分割体１１１…の上部両側に固定用の外向フランジ１１２を折曲形成すると共に、前記する支持脚構造１００でもって前記鉱山の斜面Ｘに沿って急傾斜をもって斜設されており、一端（上端）が入口（投入口）１’、他端（下端）が出口（排出口）１”になっている。
尚、この金属製分割体１１１…相互の連結は、本実施の形態においては、長手側の端部に取付用のフランジ１１１ａを外向きに設け、そのフランジ１１１ａ、１１１ａ同士を締付手段（例えばボルト・ナット）４で連結してある。
【００１９】
搬送路構成体２１…は、本実施の形態ではハイマンガン鋼、クロム鋼等の耐摩耗性の金属材料でもって前記ケーシング１１の内面に外面が添接する縦断面視略Ｕの字状に成形してなり、高さを前記するケーシング１１よりも若干低くし、ケーシング１１内に縦一列に嵌合状もしくは遊嵌合状に収容することによって、岩石、鉱石等の搬送路面２１１を形成している。
尚、搬送路構成体２１…は、ＳＳ鋼材よりも炭素成分が多い硬度のある金属材料で成形したものでも等しく使用可能である。
【００２０】
蓋兼用押圧部材３１…は、前記する搬送路構成体２１…と同等長さもしくは若干長い長さとし、且つ同搬送路構成体２１…と同様にハイマンガン鋼、クロム鋼等の耐摩耗性の金属材料でもって下向き偏平コの字状に成形され、その両立ち下がり片３１１、３１１を前記する搬送路構成体２１…の長手両縁面に当接する当接部とし、ケーシング１１の上部開放部を閉塞するようにケーシング１１上に縦一列に載置して前記搬送路構成体２１…とで中空搬送路１を囲繞形成している。
また、この蓋兼用押圧部材３１…は、その立ち下がり片３１１、３１１を前記のように搬送路構成体２１…の長手両縁面当接させて縦一列に載置した際、上面がケーシング１１の上部開放部から上方に突出するようにその高さが設定してある。
【００２１】
また、ケーシング１１を構成する金属製分割体１１１…には、前記する搬送路構成体２１…の相互間に進入する支持突起１１１ｂ…が一体に突設形成されている。
この支持突起１１１ｂ…は、搬送路構成体２１、２１の端面間全長間に堆積されるように金属製分割体１１１…から略Ｕの字状をもって一体に突設したり、その略Ｕの字状の範囲で金属製分割体１１１…から間隔をおいて一体に突設してある。
【００２２】
固定用プレート部材４１…は、前記蓋兼用押圧部材３１…の幅寸法よりも若干幅広とされると共に蓋兼用押圧部材３１…よりも長尺になっており、本実施の形態では蓋兼用押圧部材３１…とは別体にしてあり、上面にガイドレール５１…を一体的に備え、前記外向フランジ１１２、１１２との間に挟持用空間Ｓを確保するように蓋兼用押圧部材３１…上に縦一列に配置して、外向フランジ１１２、１１２とに亘って締付手段（例えばボルト・ナット）４で解除可能に連結することによって蓋兼用押圧部材３１…とケーシング１１とで各搬送路構成体２１…を挟持固定すると共にガイドレール５１…を中空搬送路１全長に亘って直線状に連続させる。
尚、この固定用プレート部材４１…は、前記蓋兼用押圧部材３１…と一体若しくは上下関係をもって一体的に固定してあっても良いものである。
【００２３】
階段６１は、中空搬送路１の両脇に隣設してその全長に亘って組み付けてあり、中空搬送路１全長に亘って付設した安全用の手摺６１１を利用して昇降できるようになっている。
【００２４】
石溜り部３は、中空搬送路１の出口１”に臨んで構築した剛性のある室１３に石溜り２３を設けて構成してあり、石溜り２３に隣接してその床面１３１に開口した落下口１３１ａに粉砕設備（図示せず）への搬送コンベア５が連絡されている。
【００２５】
投入部２は、ホッパー等のガイド機能を有し、採掘されて搬送コンベア６等で搬送されてくる岩石、鉱石等の搬送対象物Ｗを中空搬送路１の入口（投入口）１’から投入する。
【００２６】
符号７は、一端を石溜り室１３に連絡したエアー抜き管であり、隣設して設けられている大容量の確保空間８で他端が開放させてある。この確保空間８は、室であり、大気に局所的に連通させてあっても良いものであるが、敢えて積極的に外気と連通する個所を設ける必要はないものである。
【００２７】
以上のように構成されている岩石、鉱石等の搬送装置Ａでは、入口（投入口）１’から投入され急傾斜な中空搬送路１内を加速度を付けて高速で滑落する岩石、鉱石等の搬送対象物Ｗを、石溜り室１３内の石溜りに積極的にぶつけて、石溜り室１３の落下口１３１ａから落下する岩石、鉱石等を搬送コンベア５で粉砕設備に逐次移送する。
そして、その搬送対象物Ｗの滑落に伴って高圧になる石溜り室１３内の空気を大容量の確保空間８にエアー抜き管７から排気する。
ちなみに、ある搬送路構成体２１が長期の使用で摩滅した時には、交換用の滑落構成体２１を搭載する昇降用台車Ｃをガイドレール５１上を走行させて交換対象位置まで到達させて、階段６１上で待機する作業者が固定用プレート部材４１、蓋兼用押圧部材３１を共に外すと共にケーシング１１を開放して、昇降用台車Ｃ上のウインチｃ等を使用して搬送路構成体２１、２１を上げ下げし、取付けと回収とを行えば良い。
また、ケーシング１１を構成する金属製分割体１１１…に形成された外向フランジ１１２…、１１２…と、上方の固定用プレート部材４１…との連結で生じる蓋兼用押圧部材３１…と金属製分割体１１１…とによる挟持力と、各金属製分割体１１１…から突設する支持突起１１１ｂ…によるストップ力との相乗作用でネジ止め手段等を採用することなく搬送路構成体２１…を安定的に支持することができる。
【００２８】
【発明の効果】
本発明は以上のように構成したので、下記の利点がある。
急傾斜な中空搬送路内を、加速度を付けて滑落する岩石、鉱石等の搬送対象物を、石溜りにぶつけて、その石溜りで、岩石、鉱石等を粉砕させて後工程で実施される粉砕工程を担わせ、その上、石溜りによる緩衝作用で石溜り室への影響を抑制する搬送方法である。
従って、岩石、鉱石等の搬送対象物の搬出効率が非常に高効率な上に、直線状の中空搬送路の使用で設備コスト共にランニングコストの低廉下を図ると共に後工程の製品化への粉砕工程を縮減して粉砕時の設備コスト等を低廉にし、尚且つ例えば石溜りの代わりに鋼の塊等を対抗部材として使用して対処した場合のように石溜り室が大掛かりになったり、対抗部材との衝撃で外部に粉塵が放散して環境問題を惹起させたり作業者の健康を害するような虞れもない岩石、鉱石等の新規な搬送方法を提供することができる。
しかも、岩石、鉱石等の滑落に伴って高圧になる石溜り室内の空気をエアー抜き管を介して大容量の確保空間に自然排気するをもって、粉塵の外界への放散がより防止され、環境保全、健康管理上、より好適なものとなる。
また、搬送装置においては、前記搬送方法を具体的に実施することができ、斜設される長尺なケーシングに形成された外向フランジと、上方の固定用プレート部材との連結で生じる蓋兼用押圧部材とケーシングとによる挟持力と、ケーシングから突設する支持突起によるストップ力との相乗作用で搬送路構成体を支持する構造を採用している。そのため、搬送路構成体個々をケーシングにネジで固定した場合のようにネジ頭部が摩滅するまでの使用に搬送路構成体の耐用期が縮減されるようなことがなくなり、長寿命であるし、例えばネジでの固定個所を減らすべく搬送路構成体の突き合う両端面同士に互いに嵌合する段部と凹部とを形成して嵌合位置決め構造とした場合のように、ハイコストになる虞れもなくなる。
そして、階段を昇り、締付手段を解除して、固定用プレート部材と蓋兼用押圧部材を外せば、搬送路構成体を簡単に交換することができ、締付手段を解除するに際しても、ケーシング内に手指を進入させて行うものではなく、側方からの操作で行えるのでその作業も安全である。
その上、搬送路構成体を耐摩耗性の金属材で成形すると、高所で行う交換作業の頻度を大幅に減らすことができ、より安全である。
更に、搬送路構成体が仰角を４２．５度〜４７．５度とする範囲内にあるものにあっては、搬送路面上に堆積される小さな岩石粒がベアリングのころの役目を果たし、投入される岩石、鉱石等の搬送対象物を搬送路面に接触させることなく丁度良い落下速度で落下させ、搬送路構成体の交換頻度をより少なく止める上に、商品として提供するに適した大きさにまで効果的に粉砕でき、交換を含むメンテナンス作業の軽減と下流の粉砕設備での後加工の効率化に寄与することができる。
また、固定用プレート部材各々がガイドレールを分割して具備している場合には、入口、出口まで連続するガイドレールで交換用の搬送路構成体を搭載した昇降用台車を交換対象位置まで到達させ、そこで摩滅した搬送路構成体と交換して回収することができ、交換用及び回収した搬送路構成体を人為的に持ち運ぶ必要性も無くなり、高所であっても交換作業が非常に安全且つ軽労働となる。
【図面の簡単な説明】
【図１】使用状態を示す側面図で中間省略し、一部切欠して示す。
【図２】図１の（２）−（２）線拡大断面図。
【図３】中空搬送路部分の拡大斜視図で、一部切欠し、搬送路構成体を交換する状態を示す。
【符号の説明】
１：中空搬送路                        １１：ケーシング
２１：搬送路構成体                      １’：入口（投入口）
１”：出口（排出口）                  ２１１：搬送路面
３１：蓋兼用押圧部材                  １１２：外向フランジ
４１：固定用プレート部材                  ４：締付手段
５１：ガイドレール                        Ｃ：昇降用台車
１３：石溜り室                            ３：石溜り部
１１１ｂ：支持突起                          ６１：階段
１１１：金属製分割体                        ２：投入部
２３：石溜り                              Ｗ：搬送対象物
３１１：当接部（立ち下がり片）
【図１】
0003576475.tif 000002
【図２】
0003576475.tif 000003
【図３】
0003576475.tif 000004